(57)【要約】【課題】所定のかごへの乗り場呼びの割当て可能性を他のかごと異ならせ、ユーザの利便性を向上する。【解決手段】群管理制御装置は、専用運転モードで運転中のかご（エレベータ）を、乗り場呼びの割当て対象から除外する（Ｓ４２）。新規の乗り場呼びが登録されると（Ｓ４３：ＹＥＳ）、群管理制御装置は、かごの現在位置、荷重、割当済みの呼びの数、行き先、移動方向などに応じて割当て用評価値を算出する（Ｓ４５）。さらに、群管理制御装置は、専用運転モードに切替可能な所定のかごについては、特別評価値を算出して割当て用評価値に加算する（Ｓ４６）。群管理制御装置は、最も評価値の低いかごに乗り場呼びを割り当てる。【選択図】図４
2014051359.tif 000002
【特許請求の範囲】
【請求項１】
複数のかごを群管理する群管理エレベータシステムであって、
乗り場呼びを登録するための乗り場呼び登録部と、
前記乗り場呼び登録部に登録された前記乗り場呼びを前記複数のかごのうち少なくともいずれか一つのかごに割り当てるための割当て決定部と、
を備え、
前記割当て決定部は、前記複数のかごのうち所定のかごとその他のかごとの間で前記乗り場呼びの割り当て可能性が異なるように、前記乗り場呼びの割当先を決定する、
群管理エレベータシステム。
【請求項２】
前記所定のかごは、通常運転モードと専用運転モードとの間で運転モードを切替可能なかごである、
請求項１に記載の群管理エレベータシステム。
【請求項３】
前記割当て決定部は、
前記所定のかごが前記専用運転モードで運転中の場合、前記乗り場呼びの割当て対象に含めず、
前記所定のかごが前記通常運転モードで運転中の場合、前記乗り場呼びの割当て頻度が前記その他のかごへの前記乗り場呼びの割当て頻度よりも低下するように、前記乗り場呼びの割当先を決定する、
請求項２に記載の群管理エレベータシステム。
【請求項４】
前記割当て決定部は、
前記複数のかごの運行状態に関するデータに基づいて、前記複数のかご毎に第１評価値を算出し、
さらに、前記所定のかごについては、予め設定される第２評価値を、前記所定のかごについて算出された前記第１評価値に加算し、
前記第１評価値、または前記第１評価値と前記第２評価値との合計値のうち、いずれか最も評価値の低いかごに前記乗り場呼びを割り当てる、
請求項３に記載の群管理エレベータシステム。
【請求項５】
前記第２評価値は、前記複数のかごの利用状態に基づいて算出される、
請求項４に記載の群管理エレベータシステム。
【請求項６】
前記複数のかごの利用状態とは、前記複数のかごを用いた交通量であり、
前記第２評価値は、前記交通量が小さいほど大きく、前記交通量が大きいほど小さくなるように設定される、
請求項５に記載の群管理エレベータシステム。
【請求項７】
前記第１評価値は、前記所定のかごとの間の距離が短くなるほど大きく、前記所定のかごとの距離が長くなるほど小さくなるように設定される、
請求項４〜６のいずれかに記載の群管理エレベータシステム。
【発明の詳細な説明】
【技術分野】
【０００１】
本発明は、群管理エレベータシステムに関する。
【背景技術】
【０００２】
複数のエレベータを運行管理する群管理エレベータシステムでは、ユーザが乗り場に設置された乗り場ボタンを押すと、乗り場呼びが発生し、その乗り場呼びに対して少なくとも１台のかごが配車されるようになっている（特許文献１，２）。さらに、特定のユーザまたは特定の用途についてのみ利用を許可するように、乗り場呼びの割当てを制御する技術も知られている（特許文献３，４）
【先行技術文献】
【特許文献】
【０００３】
【特許文献１】特開昭５９−１５３７７４号公報
【特許文献２】特開平４−１９７９６９号公報
【特許文献３】特開２００３−０４０５３４号公報
【特許文献４】特開２０１０−２６０７０３号公報
【発明の概要】
【発明が解決しようとする課題】
【０００４】
通常運転モードと専用運転モードとを切替可能なエレベータにおいて、その通常運転中に乗り場呼びを割り当てた後で、専用運転モードに切り替わった場合、乗り場呼びの割当先を変更する必要がある。
【０００５】
運転モードの切替可能なエレベータの前で待っていたユーザは、他のエレベータに到着案内されると戸惑うばかりか、他のエレベータに移動する必要があるため、ユーザの使い勝手が悪い。また、今まで待っていたエレベータから他のエレベータに移動するため、老人または病人などの移動速度の遅いユーザがエレベータに乗り遅れる可能性がある。さらに、移動速度の遅いユーザを待つために、かごの戸開待機時間が長くなるため、稼働効率が低下する。
【０００６】
本発明は上記の課題に鑑みてなされたもので、その目的は、利便性および稼働効率を向上できるようにした群管理エレベータシステムを提供することにある。
【課題を解決するための手段】
【０００７】
上記課題を解決すべく、本発明に係る群管理エレベータシステムは、複数のかごを群管理する群管理エレベータシステムであって、乗り場呼びを登録するための乗り場呼び登録部と、乗り場呼び登録部に登録された乗り場呼びを複数のかごのうち少なくともいずれか一つのかごに割り当てるための割当て決定部と、を備え、割当て決定部は、複数のかごのうち所定のかごとその他のかごとの間で乗り場呼びの割り当て可能性が異なるように、乗り場呼びの割当先を決定する。
【０００８】
所定のかごは、通常運転モードと専用運転モードとの間で運転モードを切替可能なかごであってもよい。
【０００９】
割当て決定部は、所定のかごが専用運転モードで運転中の場合、乗り場呼びの割当て対象に含めず、所定のかごが通常運転モードで運転中の場合、乗り場呼びの割当て頻度がその他のかごへの乗り場呼びの割当て頻度よりも低下するように、乗り場呼びの割当先を決定することができる。
【発明の効果】
【００１０】
本発明によれば、所定のかごと他のかごとの間で乗り場呼びの割り当て可能性を異ならせることができ、ユーザの使い勝手に応じて乗り場呼びを割り当てることができる。さらに、本発明によれば、通常運転モードと専用運転モードとの間で運転モードを切替可能な所定のかごを有する群管理エレベータシステムにおいて、乗り場呼びの割当て先変更を少なくして、ユーザの利便性を向上することができる。
【図面の簡単な説明】
【００１１】
【図１】本実施例に係る群管理エレベータシステムの全体図である。
【図２】群管理制御装置の構成図である。
【図３】全体処理を示すフローチャートである。
【図４】全体処理中の乗り場呼び割当処理を示すフローチャートである。
【図５】乗り場の構成を示す説明図である。
【図６】第２実施例に係り、かごに加算する評価値を算出するグラフである。
【図７】第３実施例に係り、かごに加算する評価値を算出するグラフである。
【図８】第４実施例に係り、乗り場呼びの割当てを説明するための説明図である。
【図９】かごに加算する評価値を算出するグラフである。
【発明を実施するための形態】
【００１２】
以下、図面に基づいて、本発明の実施の形態を説明する。本実施形態では、以下に詳述する通り、運転モードの切替可能なエレベータを含む場合、運転モードに応じて乗り場呼びの割当てを制御する。
【実施例１】
【００１３】
図１〜図５を用いて第１実施例を説明する。本実施例では、一般乗り場呼びを中心に説明するが、車椅子用乗り場呼びなどの他の種類の乗り場呼びについても対応することができる。
本実施例では、いわゆるＶＩＰモード、特定の階床間での運行を許可するモード、担架などが専用して利用するモードのように、特定のユーザまたは特定の用途で専用運転する場合を述べる。しかし、本実施例は、それらに限らず、一般乗り場呼びに応答しない運転モードを有するエレベータを備えるエレベータシステムであれば、適用可能である。
【００１４】
図１は、群管理エレベータシステム１の全体構成を示す。群管理エレベータシステム１は、例えば複数のエレベータ１０と、群管理制御装置２０とを備える。
【００１５】
エレベータ１０は、例えば、かご１１と、巻上機１２と、主索１３と、おもり１４と、ドア１５と、乗り場呼び入力装置１６と、かご内の行先階操作部１９（図２参照）と、エレベータ制御装置１８を備える。
【００１６】
乗り場のユーザは、乗り場のエレベータドア１５の近くに配置されている乗り場呼び入力装置１６を押すことで、エレベータ（かご１１）を呼ぶことができる。また、かご内のユーザは、行先階操作部１９を操作することで、目的の階への着床を指示できる。エレベータ制御装置１８は、群管理制御装置２０よりいずれかのかご１１に適切に割り当てられた乗り場呼び及びかご呼びに基づき、制御信号を出力する。
【００１７】
巻上機１２は、エレベータ制御装置１８からの制御信号により、主索１３を介してかご１１を昇降させる。かご１１が目的の乗り場に到着すると、かごドア（不図示）がドア駆動装置により開扉し、かごドアの動きに追従して乗り場ドア１５も開扉する。所定の待機時間が経過したり、かご内から閉扉が指示されたりすると、かごドアは閉扉し、その動きに連動して乗り場ドア１５も閉じる。
【００１８】
図１に示す複数のエレベータ１０のうち、右側のエレベータ１０（＃ｎ）は、運転モードを切替可能なエレベータである。このエレベータ１０（＃ｎ）は「所定のかご」に該当する。運転モードを切替可能なエレベータ１０（＃ｎ）は、他のエレベータ１０（＃１，＃２）と同様の構成を備えるほかに、さらに、運転モードを切り替えるための運転切替スイッチ１７をかご１１内に備えている。ビルの管理者などが運転切替スイッチ１７を操作すると、通常運転モードから専用運転モードに切り替わったり、その逆に、専用運転モードから通常運転モードに切り替わったりする。
【００１９】
入力装置３０は、エレベータ１０の群管理制御などに関する各種パラメータを群管理制御装置２０に登録するための装置である。
【００２０】
図２は、群管理制御装置２０の機能構成を示す。群管理制御装置２０は、例えば、マイクロプロセッサ、メモリ、入出力回路などを有するコンピュータとして構成することができる。メモリに記憶された所定の制御プログラムをマイクロプロセッサが読み込んで実行することで、後述する各機能が実現する。
【００２１】
群管理制御装置２０は、例えば、乗り場呼び登録装置２１と、割当て決定部２２と、エレベータデータ管理部２３と、パラメータ記憶部２４を備える。
【００２２】
乗り場呼び登録装置２１は、各乗り場呼び入力装置１６の操作によって発生する乗り場呼びを登録するためのものである。割当て決定部２２は、乗り場呼び登録部２１に登録された乗り場呼びに対して、少なくとも１つのかご１１を割り当てて配車するためのものである。エレベータデータ管理部２３は、各エレベータ１０の運行状況（かご内の行先階操作部１９で指示された行先階、ドア開閉状態、乗車人数、運転モードなど）に関するデータを、各エレベータ制御装置１８から取得して管理する。
【００２３】
なお、本実施例では、群管理制御装置２０は、各エレベータ１０の運行制御に関わる指令（行先階の指示、サービス不能の階の指示など）を出力する。そのために図１，図２の構成では、乗り場呼び入力装置１６を群管理制御装置２０に直接的に接続している。しかし、これに代えて、乗り場呼び入力装置１６をエレベータ制御装置１８を介して群管理制御装置２０に接続する構成でもよい。つまり、エレベータ制御装置１８は、それぞれのエレベータ１０に関する情報を取得し、無線または有線の通信回線を介して群管理制御装置２０に送信する構成でもよい。なお、運転切替スイッチ１７をエレベータ制御装置１８を介さずに直接的に群管理制御装置２０に接続する構成でもよい。
【００２４】
エレベータ制御装置１８は、群管理制御装置２０からの指示を通信回線を介して受領し、その指示に応じた動作を実行することができる。エレベータ制御装置１８は、例えば、ドアの開閉、かごの出発、かごの着床などを制御する。これに対し、行先階の指定、強制的なドアの開閉動作などは、群管理制御装置２０が担当する。
【００２５】
パラメータ記憶部２４は、エレベータ１０の群管理制御などに使用するためのパラメータを記憶する。パラメータは外部入力装置３０から入力することができる。
【００２６】
図３は、群管理制御装置２０が実行する全体処理を示すフローチャートである。本処理は、群管理制御装置２０に電源が投入された場合、またはリスタートされた場合に実行される。
【００２７】
まず最初に、群管理制御装置２０は、パラメータの初期化などを行うためのイニシャル処理を実行する（Ｓ１０）。次に、群管理制御装置２０は、各エレベータ１０からエレベータを群管理するために必要なエレベータデータを取得し、記憶する（Ｓ２０）。ここでエレベータデータとしては、かごの位置、運転方向、かご内行先階呼びなどの登録状況等がある。
【００２８】
群管理制御装置２０は、乗り場呼び入力装置１６で発生した乗り場呼びを登録するための乗り場呼び登録処理を実行する（Ｓ３０）。続いて、群管理制御装置２０は、ステップＳ２０で取得したエレベータデータなどに基づいて、ステップＳ３０で登録した乗り場呼びを少なくとも１つのエレベータ（かご）に割り当てる（Ｓ４０）。群管理制御装置２０は、乗り場呼びの割当てを完了すると、走行制御およびドア開閉制御等のエレベータ動作を制御し（Ｓ５０）、ステップＳ２０に戻る。ステップＳ２０〜Ｓ５０は、所定の制御周期で繰り返して実行される。
【００２９】
図４は、図３中の乗り場呼び割当処理（Ｓ４０）のフローチャートである。最初に、群管理制御装置２０は、管理下の各エレベータ１０が全て通常運転モードであるか判定する（Ｓ４１）。専用運転モードで稼働中のエレベータ１０がある場合（Ｓ４１：ＮＯ）、群管理制御装置２０は、その専用運転モード中のエレベータ１０を乗り場呼びの割当て対象から除外する（Ｓ４２）。従って、専用運転モードのエレベータ１０に、乗り場呼びが割り当てられることはない。
【００３０】
通常運転モードのエレベータ１０のみである場合（Ｓ４１：ＹＥＳ）、または専用運転モードのエレベータ１０を乗り場呼びの割当て対象から除外した場合（Ｓ４２）、群管理制御装置２０は、新規の乗り場呼びが登録されたか判定する（Ｓ４３）。新規の乗り場呼びが登録されていない場合（Ｓ４３：ＮＯ）、群管理制御装置２０は、乗り場呼びの再割当てが必要か判定する（Ｓ４４）。例えば、乗り場呼びの発生した階へのかご到着が所定時間以上遅れているような場合、その乗り場呼びの再割当てが必要と判定する。乗り場呼びを再割当てする必要がない場合（Ｓ４４：ＮＯ）、本処理は終了する。割り当てるべき乗り場呼びが存在しないためである。
【００３１】
これに対し、新規の乗り場呼びが登録された場合（Ｓ４３：ＹＥＳ）、または、再割当ての必要な乗り場呼びがある場合（Ｓ４４：ＹＥＳ）、群管理制御装置２０は、「第１評価値」としての割当て用評価値を算出する（Ｓ４５）。
【００３２】
群管理制御装置２０は、例えば、エレベータデータを参照し、乗り場呼び、かご呼び（かご内での行先階を指定する呼び）、かごの荷重（乗車人数）、かごの現在位置、かごの移動方向などの情報に基づいて、各かご毎に割当て用評価値を算出する。例えば、待機時間が短くなるように、エレベータ群の全体として輸送効率が向上するように、などの観点から割当て用評価値を求めることができる。
【００３３】
さらに、群管理制御装置２０は、専用運転モードに切替可能な所定のエレベータ（所定のかごとも呼ぶ）については、「第２評価値」としての特別評価値を算出する（Ｓ４６）。ここで、留意すべき点は、専用運転モードに切替可能なかごであって、今現在は通常運転モードで稼働中のかごについてのみ特別評価値を算出する点である。既に専用運転モードで稼働中のかごは、割当て対象から除外されているため（Ｓ４２）、特別評価値を算出する必要はない。
【００３４】
群管理制御装置２０は、後述のように、所定のかごに乗り場呼びが割り当てられる可能性が、他のかご（専用運転モードに切り替えることのできない通常のかご）に割り当てられる可能性よりも低くなるように、正の値の特別評価値を算出する。算出された特別評価値は、所定のかごについて算出された割当て用評価値に加算される。
【００３５】
特別評価値として、予め設定される固定値を用いてもよいし、何からのパラメータに基づいて特別評価値を適宜算出してもよい。例えば、管理者は、外部入力装置３０を介して、特別評価値を群管理制御装置２０に設定したり、特別評価値を算出するためのパラメータを設定したりすることができる。
【００３６】
群管理制御装置２０は、評価値の最も小さいかごに対して、ステップＳ４３で登録された新規の乗り場呼びを割り当てる（Ｓ４７）。通常のかごの場合は、割当て用評価値のみが判断対象となる。専用運転モードに切替可能な所定のかごの場合は、割当て用評価値と特別評価値との合計値が判断対象となる。従って、特別評価値が大きければ大きいほど、所定のかごに乗り場呼びが割り当てられる可能性は低下する。
【００３７】
本実施例では、いわゆるペナルティ制御に基づいて乗り場呼びを割り当てるため、最も評価値の低いかごを選択する。これに対し、いわゆるボーナス制御に基づく場合は、最も評価値の高いかごを選択する。ボーナス制御の場合、特別評価値の値は、０に近い値、または負の値として設定することができる。
【００３８】
図５は、群管理エレベータの配置を示す。図５では、両端に出入口のある通路を挟んで合計６台のエレベータ１０（＃１〜＃６）が３台ずつ向かい合わせで配置されている。図５の例では、６号機のエレベータ１０（＃６）が専用運転モードに切替可能である。
【００３９】
ここで、もしも新規の乗り場呼びが６号機のエレベータ１０（＃６）に割り当てられた場合を検討する。６号機のエレベータ（かご）が乗り場に到着するよりも前に、６号機のエレベータが専用運転モードに切り替えられると、６号機に割り当てられていた乗り場呼びを、１号機〜５号機の他のエレベータに割当て直す必要がある。
【００４０】
もしも、乗り場呼びが１号機のエレベータ１０（＃１）に割り当てられた場合、６号機のエレベータ１０（＃６）の前で待っていたユーザは、図５中に二点鎖線で示すように、１号機のエレベータに向けて長い距離を移動する必要がある。移動を強いられるユーザが病人または老人などのように歩行の遅いユーザである場合、１号機のエレベータ１０（＃１）に乗り遅れる可能性もある。
【００４１】
これに対し、本実施例では、専用運転モードに切替可能なエレベータ１０（＃６）には、通常の割当て用評価値のほかに特別評価値を加算する。このため、専用運転モードに切替可能なエレベータ１０（＃６）の評価値は、他の通常のエレベータ１０（＃１〜＃５）に比べて大きくなりやすい。従って、専用運転モードに切替可能なエレベータ１０（＃６）に乗り場呼びが割り当てられる可能性（割当て頻度）は、他の通常のエレベータ１０（＃１〜＃５）よりも低下する。
【００４２】
本実施例では、専用運転モードに切替可能なエレベータへの、乗り場呼びの割当て可能性を低下させる。このため、専用運転モードに切替可能なエレベータに割当済みの乗り場呼びが、運転モードの切替によって他のエレベータに割り当て直されるという事態の発生を抑制できる。従って、乗り場呼びの割当て変更の発生を低減でき、ユーザが乗り場で移動したりするのを抑制でき、ユーザの利便性を向上できる。
【実施例２】
【００４３】
図６を用いて第２実施例を説明する。以下の各実施例では第１実施例との相違を中心に説明する。本実施例では、専用運転モードに切替可能な所定のかごに加算する特別評価値を、群管理エレベータシステムの交通量に応じて設定する。
【００４４】
図６は、特別評価値を算出するためのグラフである。縦軸は特別評価値を示し、横軸は交通量（輸送量）を示す。交通量は、例えば、特定の一つあるいは複数の階で発生した呼び（乗り場呼びとかご呼びの両方）を単位時間で割ることで算出できる。
【００４５】
特別評価値は、交通量が増大するにつれて、初期値Ｐａ１から下限値Ｐａ２（Ｐａ１＞Ｐａ２）まで低下するように設定されている。交通量が増大するほど、特別評価値は小さくなる。
【００４６】
このように構成される本実施例では、交通量が増大するほど、専用運転モードに切替可能な所定のかごに乗り場呼びが割り当てられる可能性を大きくすることができる。従って、所定のかごの稼働率を高めて、群管理エレベータシステム全体の輸送効率を改善することができる。さらに、本実施例では、交通量の少ない場合、第１実施例で述べたと同様に、所定のかごに割り当てられた乗り場呼びが後から変更される可能性を低減して、ユーザの利便性を向上できる。このように本実施例では、群管理されたエレベータの稼働効率の改善とユーザの利便性の向上の両方を実現することができる。
【実施例３】
【００４７】
図７を用いて第３実施例を説明する。本実施例では、群管理エレベータシステムのサービス時間帯に応じて、特別評価値を調整する。図７は、特別評価値を算出するためのグラフである。縦軸は特別評価値を示し、横軸は時間を示す。朝の出勤時間帯Ｔ０−Ｔ１、および夕方の退勤時間帯Ｔ４では、特別評価値は下限値Ｐａ４に設定される。交通量の比較的少ない昼間Ｔ２−Ｔ３では、特別評価値は上限値Ｐａ３に設定される。
【００４８】
従って、本実施例では、朝夕の混雑時に、専用運転モードに切替可能な所定のかごを用いて、ユーザを輸送することができる。これにより、混雑を緩和し、群管理されたエレベータの運行効率を高めることができる。さらに、本実施例では、交通量の安定する昼間に、所定のかごに割り当てた乗り場呼びを他のかごに割り当て直すという事態の発生を抑制して、ユーザの利便性を改善できる。
【００４９】
さらに、本実施例では、交通量の多い出勤時間帯から交通量の安定する昼間の時間帯にかけての時間帯Ｔ１−Ｔ２において、特別評価値は、時間の経過につれて徐々に増加するよう設定される。昼間の時間帯から交通量の多い退勤時間帯にかけての時間帯Ｔ３−Ｔ４において、特別評価値は、時間の経過につれて徐々に低下するように設定される。
【００５０】
従って、本実施例では、エレベータの利用状況に応じて、所定のかごの使用頻度（乗り場呼びの割り当て頻度）を調整することできる。これにより、第２実施例と同様の効果を奏する。なお、図７に示すグラフは、平日用、祝祭日用、夏期休暇などの長期休暇用、のように曜日または季節などに応じて用意してもよい。
【実施例４】
【００５１】
図８および図９を参照して第４実施例を説明する。本実施例では、所定のかご（＃４）の近くにユーザが滞留するのを抑制すべく、所定のかご（＃４）から離れた他のかごに乗り場呼びを割り当てやすくしている。
【００５２】
図８は、本実施例による群管理エレベータの配置を示す。本実施例では、行き止まりになった乗り場に合計６台のエレベータ１０が３台ずつ対向して配置されている。そして、乗り場の入口近傍に位置するエレベータ１０（＃４）は、専用運転モードに切替可能な所定のかごであるとする。
【００５３】
図９は、割当て用評価値を算出するためのグラフである。縦軸は割当て用評価値を示し、横軸は所定のかごとの距離を示す。所定のかごに最も近いエレベータについては、上限値Ｐｂ１の評価値が与えられる。所定のかごから最も遠いエレベータには、下限値Ｐｂ２の評価値が与えられる。所定のかごとの距離が遠いかごほど、割当て用評価値は小さくなるようにグラフは設定されている。正確には、割当て用評価値の基礎値は、例えば、かごの現在位置、割り当てられている呼びの数、移動方向、荷重などによって算出されるが、その基礎値に図９のグラフから算出される割当て用評価値Ｐｂが加算されて、本実施例における割当て用評価値が得られる。
【００５４】
本実施例では、所定のかごから離れたかごであるほど、乗り場呼びが割り当てられる可能性が高くなるため、所定のかごの前で待つユーザ数を少なくできる。従って、所定のかごが専用運転モードに切り替える必要がある場合、所定のかごを速やかに専用の目的で使用することができる。例えば、担架等で病人を手術室に運ぶような場合に、所定のかごの前で待つ人の数が少ないため、所定のかご内に担架を速やかに入れて、病人を手術室まで運ぶことができる。
【００５５】
特に、専用運転モードに切替可能な所定のかごが乗り場の出入口近辺に設けられている場合、出入口近辺にユーザが多数滞留していると滑らかな移動動線を確保することができず、群管理エレベータの稼働効率が低下する。これに対し、本実施例では、所定のかごから離れたかごに乗り場呼びを割り当てやすくするため、滑らかな移動動線を確保することができ、稼働効率を向上できる。さらに、本実施例では、所定のかごの運転モードを専用運転モードに切り替えた場合に、速やかに利用することができる。本実施例は、前記第１、第２、第３実施例のいずれにも適用可能である。
【００５６】
なお、本発明は、上述した実施例に限定されない。当業者であれば、本発明の範囲内で、種々の追加や変更等を行うことができる。
【符号の説明】
【００５７】
１：群管理エレベータシステム、１０：エレベータ、１１：かご、１６：乗り場呼び入力装置、１８：エレベータ制御装置、１９：行先階操作部、２０：群管理制御装置、２１：乗り場呼び登録装置、２２：割当て決定部、２３：エレベータデータ管理部、３０：外部入力装置
【図１】
2014051359.tif 000003
【図２】
2014051359.tif 000004
【図３】
2014051359.tif 000005
【図４】
2014051359.tif 000006
【図５】
2014051359.tif 000007
【図６】
2014051359.tif 000008
【図７】
2014051359.tif 000009
【図８】
2014051359.tif 000010
【図９】
2014051359.tif 000011